(57)【要約】  【課題】表面に離型層（５１ｃ）を有する回転可能な加熱部材（５１）と、加熱部材を加熱する加熱手段（５３）と、加熱部材とニップ部（Ｎ）を形成する加圧部材（５２）と、加熱部材の外側に接離可能に配設された摺擦部材（６０、６２）と、を有し、画像（ｔ）を担持した記録材（Ｓ）をニップ部で挟持搬送して加熱する像加熱装置について、加熱部材表面リフレッシュの実施に伴う装置のダウンタイムを減少させると共に、摺擦部材の汚損を緩和すること。  【解決手段】摺擦部材を当接させて、加熱部材の通紙領域全域を摺擦する第一の摺擦モードと、加熱部材の一部分のみを摺擦する第二の摺擦モードと、を有すること。【選択図】図２
2013174806.tif 000002
【特許請求の範囲】
【請求項１】
表面に離型層を有する回転可能な加熱部材と、前記加熱部材を加熱する加熱手段と、前記加熱部材とニップ部を形成する加圧部材と、前記加熱部材の外側に接離可能に配設された摺擦部材と、を有し、画像を担持した記録材を前記ニップ部で挟持搬送して加熱する像加熱装置であって、
前記摺擦部材を当接させて、前記加熱部材の通紙領域全域を摺擦する第一の摺擦モードと、前記加熱部材の一部分のみを摺擦する第二の摺擦モードと、を有することを特徴とする像加熱装置。
【請求項２】
前記摺擦部材として、前記加熱部材の通紙領域全域を摺擦するための第一の摺擦部材と、前記加熱部材の一部分のみを摺擦するための第二の摺擦部材と、を有し、前記第一の摺擦部材を前記加熱部材に当接させて前記加熱部材の通紙領域全域を摺擦する第一の摺擦モードと前記第二の摺擦部材を前記加熱部材に当接させて前記加熱部材の一部分のみを摺擦する第二の摺擦モードとを選択的に実行することを特徴とする請求項１に記載の像加熱装置。
【請求項３】
前記加熱部材は弾性層を有し、前記摺擦部材は長手方向の中央部に対し端部のほうが前記加熱部材との距離が短く、且つ、前記弾性層の弾性に抗して前記加熱部材に対して当接され、前記摺擦部材の前記加熱部材に対する進入量を変化させることで前記摺擦部材が前記加熱部材を摺擦する領域を変化させて前記加熱部材の通紙領域全域を摺擦する第一の摺擦モードと前記加熱部材の一部分のみを摺擦する第二の摺擦モードとを選択的に実行することを特徴とする請求項１に記載の像加熱装置。
【請求項４】
前記加熱部材は弾性層を有し、前記摺擦部材は両端側においてそれぞれ個別に前記加熱部材に対して接離可能で、前記摺擦部材の全長域を前記加熱部材に当接させて前記加熱部材の通紙領域全域を摺擦する第一の摺擦モードと、前記摺擦部材の両端側それぞれの前記加熱部材に対する接触幅を変化させることで、前記摺擦部材が前記加熱部材を摺擦する領域を変化させて前記加熱部材の一部分のみを摺擦する第二の摺擦モードとを選択的に実行することを特徴とする請求項１に記載の像加熱装置。
【発明の詳細な説明】
【技術分野】
【０００１】
本発明は、記録材（記録媒体）上の画像を加熱する像加熱装置に関するものである。
【０００２】
像加熱装置としては、記録材に形成された未定着画像を固着画像として加熱定着する定着装置が挙げられる。また、記録材に一旦定着された或いは仮定着された画像（定着済み画像又は半定着画像）を加熱加圧して光沢度を向上させるなどの画像の表面性状を調整する画質改質装置などが挙げられる。
【背景技術】
【０００３】
従来、複写機やファクシミリなどの、現像剤（顕画剤）としてトナーを用いる静電記録式（電子写真方式）の画像形成装置において、像加熱装置である定着装置としては熱ローラ対方式の装置が一般的に用いられる。
【０００４】
この定着装置は、加熱源で加熱される加熱部材（定着部材）としての定着ローラと、この定着ローラと相互圧接して定着ニップ部を形成する加圧部材としての加圧ローラを有する。そして、未定着のトナー像を担持した記録材をニップ部で挟持搬送して未定着のトナー像を記録材に対して固着画像として加熱加圧定着させるものである。
【０００５】
近年は、離型剤を含むトナーからなる未定着画像を定着するオイルレス定着が普及しつつあり、これに応じて、定着ローラはＡｌや鉄の芯金に、シリコーンゴムやフッ素ゴムからなる弾性層と、表層にフッ素樹脂チューブやコーティングからなる離型層を備えている。
【０００６】
このようなオイルレス定着方式では、定着ローラに離型剤としてのオイルを塗布するオイル塗布手段を有するオイル定着方式のようなオイルスジなどの光沢ムラが無いというメリットがある。そのため、コート紙のような高光沢の記録材に対してトナーの改良と合せて、従来よりさらに高画質を追求することが可能である。
【０００７】
しかし、表層に離型層を備えた定着ローラの表層は、通紙によるアタックや、紙粉、オフセットトナーなどの汚れにより、徐々に荒れてくるという問題点がある。特に通紙により、定着ローラに対して一定の位置に記録紙が多数枚通紙されると、通紙域、非通紙域および通紙域と非通紙域の境界の紙コバ部で定着ローラ表層の荒れ方が異なってくる。
【０００８】
厚紙が通紙された場合は、境界部の段差が著しくなるため、剪断力が働き、定着ローラ表層に傷が発生しやすくなる。また長手方向（幅）が短い記録材を通紙する場合にも、加圧が短い記録材部分に集中するため、紙コバ部での剪断力が大きくなり、定着ローラ表層に傷が発生しやすくなる。また非常に厚い記録材を通紙する場合には、記録材の搬送方向の先端と後端でも強い剪断力が発生してしまうため、定着ローラ表層に傷が発生する場合がある。
【０００９】
上記のような定着ローラ表層の荒れ方の異なりを緩和する手段として本出願人は先に特許文献１で開示されるような技術を提案している。これは、定着部材に摺擦部材を接触させることで、未定着画像と接触する面を摺擦して定着部材面に摺擦傷を付けることで、その表面性を所定の状態に整える定着部材表面リフレッシュという技術であり、有効である。定着部材表面リフレッシュを行うことで、定着部材の表面性が維持され、画像劣化を抑え、耐久性向上が可能となる。
【先行技術文献】
【特許文献】
【００１０】
【特許文献１】特開２００８−４０３６３号公報
【発明の概要】
【発明が解決しようとする課題】
【００１１】
本発明は上記従来技術を更に発展させたものである。即ち、定着部材表面リフレッシュを行うと、摺擦によって定着ローラ表層が削れることで、微粉が発生してしまう。離型層が削れたものであるため表面エネルギーが小さいことと、微小なものであるから、これを定着部材表面から回収することは容易ではない。定着部材表面に、この微粉が残っていると、画像と一緒この微粉を定着させてしまうこととなり、表面に微粉が付着した不良画像となってしまう。
【００１２】
これを防止するために、現状では通紙中には定着部材表面リフレッシュを行わず、通紙前後に定着部材表面リフレッシュを行い、充分な清掃時間を設けたり、加圧部材に微粉を移動させることで、不良画像の発生を防止している。したがって、定着部材表面リフレッシュが必要なときには、いったん通紙を中止して定着部材表面リフレッシュを実施するため、ダウンタイムが発生してしまう。
【００１３】
また、摺擦部材は定着部材表面に摺擦傷をつけるためにある程度の粗さが必要である。したがって摺擦部材は表面エネルギーが大きく、汚れてしまったときに清掃が難しい。通紙中に定着部材表面リフレッシュを行うと、オフセットトナーによって摺擦部材が汚れてしまう場合があり、その場合に摺擦部材の清掃が困難である。汚れた摺擦部材で定着部材表面リフレッシュを行うと、充分な表面性が得られなかったり、定着部材表面に傷を付けたりしてしまう場合がある。
【００１４】
本発明は、定着部材表面リフレッシュの実施に伴う装置のダウンタイムを減少させると共に、摺擦部材の汚損を緩和することを目的とする。
【課題を解決するための手段】
【００１５】
上記の目的を達成するための本発明に係る像加熱装置の代表的な構成は、表面に離型層を有する回転可能な加熱部材と、前記加熱部材を加熱する加熱手段と、前記加熱部材とニップ部を形成する加圧部材と、前記加熱部材の外側に接離可能に配設された摺擦部材と、を有し、画像を担持した記録材を前記ニップ部で挟持搬送して加熱する像加熱装置であって、前記摺擦部材を当接させて、前記加熱部材の通紙領域全域を摺擦する第一の摺擦モードと、前記加熱部材の一部分のみを摺擦する第二の摺擦モードと、を有することを特徴とする。
【発明の効果】
【００１６】
本発明に因れば、像加熱装置において、紙コバ傷を防止すると共に、ダウンタイムの発生を防止することができる
【図面の簡単な説明】
【００１７】
【図１】画像形成装置の一例の概略構成図である。
【図２】定着装置の概略構成図と制御系統のブロック図である。
【図３】第一と第二のリフレッシュローラを含む定着ローラの平面模式図である。
【図４】（ａ）は第一の摺擦モード時、（ｂ）は第二の摺擦モード時の第一と第二のリフレッシュローラの状態を示した図である。
【図５Ａ】実施例１における第一と第二のリフレッシュローラの動作制御を示すフローチャート（その１）である。
【図５Ｂ】実施例１における第一と第二のリフレッシュローラの動作制御を示すフローチャート（その２）である。
【図６】実施例２における定着装置の要部の部分的な模式図である。
【図７】リフレッシュローラと定着ローラとの模式図である。
【図８Ａ】実施例２におけるリフレッシュローラの動作制御を示すフローチャート（その１）である。
【図８Ｂ】実施例２におけるリフレッシュローラの動作制御を示すフローチャート（その２）である。
【図９】（ａ）は、進入量０．０７ｍｍの場合における、リフレッシュローラの定着ローラに対する当接時の長手位置関係を示した図、（ｂ）は、進入量０．１３ｍｍの場合における、リフレッシュローラの定着ローラに対する当接時の長手位置関係を示した図である。
【図１０】進入量０．６０ｍｍの場合における、リフレッシュローラの定着ローラに対する当接時の長手位置関係を示した図（全長において当接）である。
【図１１】実施例３の定着装置の要部の模式図とリフレッシュローラの動作説明図（その１）である。
【図１２】リフレッシュローラの動作説明図（その２）である。
【図１３】リフレッシュローラの動作説明図（その３）である。
【発明を実施するための形態】
【００１８】
以下、本発明のいくつかの実施形態を、図面を参照して詳細に説明する。
【００１９】
［実施例］
＜画像形成装置＞
図１は本発明に係る像加熱装置を定着装置Ｆとして搭載した画像形成装置１００の一例の概略構成図である。この画像形成装置１００は、中間転写ベルト６の移動方向に沿ってイエロー、マゼンタ、シアン、ブラックの画像形成部Ｙ、Ｃ、Ｍ、Ｋを配置した、電子写真方式を利用しているタンデム型フルカラーレーザプリンタである。即ち、外部ホスト装置２００から制御回路部（制御手段）１０１に入力する画像情報（電気的画像信号）に基づいてシート状の記録材Ｓにフルカラー画像あるいはモノカラー画像を形成することができる。
【００２０】
制御回路部１０１は図２のようにＣＰＵ１０２やメモリ（ＲＯＭ、ＲＡＭ）１０３を備え、ホスト装置２００や操作パネル１０４との間で各種の電気的な情報の授受をする。そして、プリンタ１００の画像形成動作をメモリ１０３に保持させた所定の制御プログラムや参照テーブルに従って統括的に制御する。ホスト装置２００はパソコン・画像読取装置・ネットワーク・ファクシミリ等である。
【００２１】
画像形成部Ｙ、Ｃ、Ｍ、Ｋは、下から上に順にトナー像を中間転写ベルト６へ転写するように配置され、それぞれ電子写真プロセスを用いてトナー像が形成される回転可能な感光ドラム１を備えている。それぞれの感光ドラム１の周囲には、感光ドラム１の回転方向に沿って帯電装置２、現像装置３、一次転写ローラ９、及びクリーニング装置４が配置されている。露光装置５は、画像形成部Ｙ、Ｃ、Ｍ、Ｋの感光ドラム１に対して、レーザー走査露光光学系を用いて共通に露光を行うように配置されている。
【００２２】
画像形成部Ｙ、Ｃ、Ｍ、Ｋにおいて、露光装置５により、画像データに基づいた走査露光が、帯電装置２によって一様に帯電された感光ドラム１上になされて、感光ドラム１表面に走査露光画像に対応する静電像が形成される。
【００２３】
現像装置３は、感光ドラム１の表面に形成された静電像（潜像）を、トナー像（現像剤像）として現像する。画像形成部Ｙの現像装置３にはイエロー色のトナー、画像形成部Ｃの現像器３にはシアン色のトナー、画像形成部Ｍの現像器３にはマゼンタ色のトナー、画像形成部Ｋの現像器３にはブラック色のトナーがそれぞれ充填されている。トナーは離型剤を含む。画像形成部Ｙの感光ドラム１にはイエロー色のトナー像、画像形成部Ｃの感光ドラム１にはシアン色のトナー像が、画像形成部Ｍの感光ドラム１にはマゼンタ色のトナー像が、画像形成部Ｋの感光ドラム１にはブラック色のトナー像がそれぞれ形成される。
【００２４】
画像形成部Ｙ、Ｃ、Ｍ、Ｋのそれぞれの感光ドラム１に現像された上記各色の単色トナー像は、感光ドラム１の回転と同期して等速で回転する中間転写ベルト６へ所定の位置合わせ状態で順に重畳されるように一次転写される。これにより、中間転写ベルト６上に、未定着のフルカラートナー像が合成形成される。
【００２５】
本実施例では、エンドレスの中間転写ベルト６を用いており、中間転写ベルト６は、駆動ローラ７、二次転写対向ローラ１４、テンションローラ８に懸回して張架され、駆動ローラ７によって回転駆動される。画像形成部Ｙ、Ｃ、Ｍ、Ｋのそれぞれの一次転写ローラ９は、感光ドラム１に向かって中間転写ベルト６を付勢して、感光ドラム１と中間転写ベルト６との間にトナー像の一次転写部を形成する。
【００２６】
不図示のバイアス電源が一次転写ローラ９に対してトナー像と逆極性の一次転写バイアスを印加する。これにより、画像形成部Ｙ、Ｃ、Ｍ、Ｋの感光ドラム１から中間転写ベルト６に対して、各色のトナー画像が一次転写される。画像形成部Ｙ、Ｃ、Ｍ、Ｋにおいて感光ドラム１から中間転写ベルト６へトナー像を一次転写した後に、感光ドラム１上に残った転写残トナーは、クリーニング装置４によって除去される。
【００２７】
このような工程を中間転写ベルト６の回転に同調して、イエロー色、シアン色、マゼンタ色、ブラック色の画像形成部Ｙ、Ｃ、Ｍ、Ｋで行うことにより、中間転写ベルト６上に各色のトナー像が順次重ねて一次転写される。なお、単色のみの画像形成（単色モード）時には、上記工程は、目的の色の画像形成部（例えばブラックの画像形成部Ｋ）についてのみ行われる。
【００２８】
一方、記録材カセット１０にセットされたシート状の記録材Ｓは、給送ローラ１１によって一枚分離給送されて、搬送路１０ａを通って、レジストローラ１２に先端を当接した状態で停止する。記録材Ｓは記録材幅中心のいわゆる中央基準にて搬送される。レジストローラ１２は、所定の制御タイミングで起動して、中間転写ベルト６と二次転写ローラ１３とのニップ部である二次転写部へ記録材Ｓを送り込む。
【００２９】
二次転写ローラ１３は、接地電位に接続された二次転写対向ローラ１４に内側から支持された中間転写ベルト６に当接して記録材Ｓに対するトナー像の二次転写部を形成する。中間転写ベルト６上に一次転写して重ね合わせたトナー像は、不図示のバイアス電源がトナーと逆極性のバイアスを二次転写ローラ１３に印加することにより、記録材Ｓ上に一括二次転写される。二次転写部を通過した中間転写ベルト６上に残った二次転写残トナーは、ベルトクリーニング装置１５によって除去される。
【００３０】
トナー像を二次転写された記録材Ｓは、中間転写ベルト６から曲率分離され、搬送路１０ｂを通って定着装置Ｆに導入される。定着装置Ｆは、トナー像が二次転写された記録材を加熱・加圧しつつ挟持搬送する過程で、トナー像を融解、押潰して記録材Ｓ上にフルカラー画像を定着させる。定着装置Ｆから送り出された記録材Ｓは、フラッパ１７、搬送路１０ｃを通って、片面画像形成のフルカラープリントもしくはモノカラープリントとして排紙トレイ１６に排紙される。
【００３１】
両面画像形成モードの場合は、定着装置Ｆを出た第１面画像形成済みの記録材Ｓがフラッパ１７に案内されて搬送路１０ｃに入り、後端部がフラッパ１７を通過すると、フラッパ１７の切換えがなされると共に、記録材Ｓの逆搬送がされる。これにより、記録材Ｓが搬送路１０ｃから再循環搬送路１０ｄに導入されて再び搬送路１０ａに送られる。
【００３２】
そして、表裏が反転された状態にてレジストローラ１２により所定の制御タイミングで二次転写部へ送り込まれて第２面に対するトナー像の二次転写を受ける。以後は片面画像形成モードの場合と同様の経路を通って両面画像形成のプリントとして排紙トレイ１６に排紙される。
【００３３】
＜定着装置Ｆ＞
（１）定着装置Ｆの全体的な構成説明
図２は像加熱装置としての定着装置Ｆの概略構成図と制御系統のブロック図である。この定着装置Ｆは、回転可能な加熱部材としての定着ローラ５１と、回転可能な加圧部材としての加圧ローラ５２とのローラ対を主体とする、熱ローラ対方式、オイルレス方式の装置である。
【００３４】
定着ローラ５１は外径φ６０の複合層ローラであって、画像品質（定着性と光沢感など）を良好に保つために、円筒状のアルミ芯金５１ａと、その芯金５１ａの外周面に順次に積層した弾性層５１ｂと、離型層５１ｃを有する。弾性層５１ｂは、シリコンゴムやスポンジ等の耐熱性の弾性材料層であり、厚さは例えば０．５〜５ｍｍである。離型層５１ｃは最外層であり、溶融したトナーに対する良好な離型性を確保するものであり、パーテトラフロロエチレン（ＰＴＦＥ）やパーフロロアルコキシ（ＰＦＡ）等からなる、厚さは例えば２０〜１００μｍである。
【００３５】
定着ローラ５１は長手方向（ローラ軸線方向）の一端部側と他端部側がそれぞれ定着装置筐体（不図示）の一端側と他端側の対向側板間に軸受部材（不図示）を介して回転可能に軸受保持されて配設されている。そして、制御回路部１０１で制御される定着モータＭ５１の駆動力が動力伝達機構（不図示）を介して伝達されて矢印Ｒ５１の時計方向に所定の周速度で回転駆動される。
【００３６】
定着ローラ５１の芯金５１ａの内空部には、ローラ軸線位置にほぼ対応する位置に定着ローラ５１の長手方向に沿って長い加熱源（加熱手段）としてのハロゲンヒータ等の熱発生素子５３が配設されている。この熱発生素子５３に対して制御回路部１０１で制御される電源部５９から電力が供給されることで、熱発生素子５３から赤外線が発生する。この赤外線により芯金５１ａの内周面が加熱されて、定着ローラ５１が内側から加熱される。
【００３７】
加圧ローラ５２は外径φ３０の複合層ローラであり、円筒状或いは中実丸棒状のアルミ芯金５２ａと、その芯金５２ａの外周面に順次に積層した弾性層５２ｂと、離型層５２ｃを有する。弾性層５２ｂは、シリコンゴムやスポンジ等の耐熱性の弾性材料層であり、厚さは例えば２〜１０ｍｍである。離型層５２ｃは最外層であり、本実施例ではトナーとの離型性が良く、オイルの親和性がよいシリコンゴム層である。
【００３８】
加圧ローラ５２は定着ローラ５１の下側において定着ローラ５１に並行に配列されて、長手方向の一端部側と他端部側がそれぞれ定着装置筐体の一端側と他端側の対向側板間に軸受部材を介して回転可能に軸受保持されて配設されている。そして、定着ローラ５１と加圧ローラ５２とは加圧機構（不図示）により例えば５００Ｎ〜１０００Ｎの加圧加重で相互押圧されている。これにより、定着ローラ５１と加圧ローラ５２との圧接部において定着ローラ５１の弾性層５１ｂと加圧ローラ５２の弾性層５２ｂが押圧変形されて記録材搬送方向ａにおいて所定幅のニップ部（接触部、定着ニップ部）Ｎが形成される。
【００３９】
加圧ローラ５２は、定着ローラ５１が回転駆動されることでニップ部Ｎにおける定着ローラ５１またはニップ部Ｎに導入された記録材Ｐとの摩擦力で定着ローラ５１の回転に従動して回転する。加圧ローラ５２は定着ローラ５１の回転に連動してニップ部Ｎにおいて定着ローラ５１の回転方向と同方向で定着ローラ５１の周速度にほぼ対応した周速度で回転駆動される構成にすることもできる。
【００４０】
定着ローラ５１の上面側（外側）には定着ローラ５１の外面を摺擦する摺擦部材としての第一のリフレッシュローラ６０と第二のリフレッシュローラ６２（６２Ｌ，６２Ｒ）が配設されている。該両ローラ６０，６２は定着ローラ５１の外面に対して接離可能に配設されており、常時は、図２の実線示のように、定着ローラ５１の外面に対して非接触に離間している非作用位置（退避位置）に保持されている。そして、該両ローラ６０，６２は定着ローラ５１の外面に対して図４の（ａ）と（ｂ）のように選択的に当接されて摺擦することで定着ローラ５１の表面性を回復させるものである。
【００４１】
第二のリフレッシュローラ６２は、定着ローラ５１の回転方向において、第一のリフレッシュローラ６０よりも上流側に位置している。ローラ６０，６２のより具体的な構成と動作制御については（３）項と（４）項で詳述する。
【００４２】
定着ローラ５１の回転方向において、第二のリフレッシュローラ６２よりも上流側で、ニップ部Ｎよりも下流側に、定着ローラ５１の表面温度を検知する温度検知素子５７がローラ表面に非接触に近接対向させて、或いは弾性的に接触させて配設されている。温度検知素子５７はサーミスタ、サーモパイル等である。温度検知素子５７で検知される温度情報が制御回路部１０１に入力する。
【００４３】
また、定着ローラ５１の回転方向において、第一のリフレッシュローラ６０よりも下流側で、ニップ部Ｎよりも上流側に、定着ローラ５１の外面を清掃するための清掃部材としての清掃ローラ６５が配設されている。
【００４４】
清掃ローラ６５は円筒状或いは中実丸棒状の芯金６５ａの外回りに同心一体に清掃表層６５ｂを形成したものである。清掃表層６５ｂは、粗い表面性状を有する耐熱材料、例えばフェルト、スポンジ、不織布等である。清掃ローラ６５は定着ローラ５１の長さ寸法Ｌ５１（図３）にほぼ対応する長さ寸法を有し、定着ローラ５１に並行に配列され、定着ローラ５１の外面に所定の押圧力をもって押し付けられている。
【００４５】
清掃ローラ６５が定着ローラ５１に対して所定の進入量で押し付けられて清掃ローラ６５と定着ローラ５１との間に摺擦ニップが形成される。定着ローラ５１は清掃ローラ６５で摺擦されることでオフセットトナーなどの表面の汚れが拭い取られる。
【００４６】
清掃ローラ６５は定着ローラ５１の回転に従動回転させる構成とすることもできるが、定着ローラ５１の回転と周速差を持つことが望ましい。本実施例では清掃ローラ６５は制御回路部１０１で制御される駆動モータＭ６５により定着ローラ５１の回転と周速差を持つように駆動される。回転方向は摺擦ニップにおける表面移動方向が定着ローラ５１の回転に順方向、逆方向のいずれでもよい。本実施例では逆方向Ｒ６５に回転駆動するようにしている。
【００４７】
（２）定着動作
制御回路部１０１は画像形成装置１００に対する画像形成スタート信号の入力に基づいて所定の制御タイミングにて定着モータＭ５１の駆動を開始させる。これにより定着ローラ５１が矢印Ｒ５１の時計方向に所定の周速度で回転駆動される。また加圧ローラ５２が定着ローラ５１の回転に従動して矢印Ｒ５２の反時計方向に従動回転する。
【００４８】
また、駆動モータＭ６５の駆動を開始して、清掃ローラ６５を矢印Ｒ６５の時計方向に回転駆動させる。これにより、清掃ローラ６５による定着ローラ外面の清掃がなされる。第一のリフレッシュローラ６０と第二のリフレッシュローラ６２は常時は定着ローラ５１の外面に対して非接触に離間している非作用位置に保持されている（図２の実線示）。
【００４９】
制御回路部１０１は電源部５９から熱発生素子５３に対して電力を供給する。これにより定着ローラ５１が内部加熱されて定着ローラ５１の表面の温度が昇温していく。そして、内部加熱される定着ローラ５１の表面温度が温度検知素子５７に検知される。温度検知素子５７から出力される検知温度に関する電気的な情報がＡ／Ｄ、コンバータ（不図示）を介して制御回路部１０１へ入力する。
【００５０】
制御回路部１０１の温調機能部は、温度検知素子５７からの検知温度情報に基づいて定着ローラ５１の表面温度を所定の目標温度（定着温度）に立ち上げて、その目標温度が維持されるように電源部５９から熱発生素子５３に対する供給電力を制御する。即ち、制御回路部１０１は定着ローラ５１の表面温度を目標温度に立ち上げて温調する。
【００５１】
この状態において、画像形成装置の画像形成機構側部から定着装置Ｆに未定着のトナー像ｔを担持している記録材Ｓが搬送され、ニップ部入口側の搬送ガイド５４で案内されてニップ部Ｎに導入される。トナー像ｔのトナーは記録材に静電的に担持されている。記録材Ｓはトナー像担持面側を定着ローラ５１側にしてニップ部Ｎに導入されて挟持搬送される。これにより、ニップ部Ｎにおける加熱と加圧により未定着のトナー像ｔが記録材Ｓの表面に固着画像として定着される。
【００５２】
ニップ部Ｎを出た記録材Ｓはニップ部出口側において定着ローラ５１の表面に当接または近接するように配設された記録材分離爪（シート分離爪）５５により定着ローラ５１の表面から分離される。そしてニップ部出口側の搬送ガイド５６で案内されて定着装置Ｆの外に排出搬送される。
【００５３】
（３）摺擦部材６０・６２
図３は摺擦部材としての第一のリフレッシュローラ６０と第二のリフレッシュローラ６２（６２Ｌ，６２Ｒ）を含む定着ローラ５１の平面模式図である。Ｌ５１は定着ローラ５１の長さ寸法（ローラ軸線方向の寸法）、ＷＳは装置Ｆに対する記録材Ｓの通紙可能領域幅であり、定着ローラ５１の長さ寸法Ｌ５１よりも小さい。
【００５４】
Ｌ６０は第一のリフレッシュローラ６０の長さ寸法である。この長さ寸法Ｌ６０は定着ローラ５１の長さ寸法Ｌ５１とほぼ同じ長さ寸法に設定されており、定着ローラ５１のほぼ全長域（通紙領域全域）の外面を摺擦してリフレッシュ（表面性の回復）をすることが可能である。第一のリフレッシュローラ６０は、図４の（ａ）のように、芯金６０ａの外回りに同心一体に設けた外径１２ｍｍのストレートのＳＵＳ製ローラ６０ｂの外周面に接着層を介して摺擦材としての砥粒を密に接着して摺擦層６０ｃを形成したものである。
【００５５】
第二のリフレッシュローラ６２は、定着ローラ５１の一端部側に対応する短尺の一端部側ローラ部分６２Ｌと他端部側に対応する短尺の他端部側ローラ部分６２Ｒとの２つのローラ部分を有する分断ローラである。Ｌ６２とＲ６２は一端部側ローラ部分６２Ｌと他端部側ローラ部分６２Ｒのそれぞれの長さ寸法である。Ｌ６２とＲ６２はそれぞれ記録材Ｓの幅方向（記録材搬送方向に直交する方向）両側の紙コバ部が通過する定着ローラ外面領域だけ（定着ローラの一部分のみ）を摺擦できるように設定されている。
【００５６】
一端部側ローラ部分６２Ｌと他端部側ローラ部分６２Ｒは、通紙される記録材Ｓの画像形成領域ＳＩに対応する定着ローラ外面領域は摺擦しないように設定されている。そのため、第二のリフレッシュローラ６２の一端部側ローラ部分６２Ｌと他端部側ローラ部分６２Ｒは、記録材Ｓの幅方向両側の紙コバ部が通過する定着ローラ外面領域だけを摺擦してリフレッシュをすることが可能である。
【００５７】
第二のリフレッシュローラ６２の一端部側ローラ部分６２Ｌと他端部側ローラ部分６２Ｒは図４の（ａ）のように構成されている。即ち、共通の芯金６２ａの一端部側と他端部側との外回りに、それぞれ、所定の間隔をあけて同心一体に設けた外径１２ｍｍのＳＵＳ製ローラ６２ｂの外周面に接着層を介して摺擦材としての砥粒を密に接着して摺擦層６２ｃを形成したものである。
【００５８】
第一リフレッシュローラ６０と第二リフレッシュローラ６２の摺擦層６０ｃと６２ｃを構成する摺擦材としては次のようなものが挙げられる。酸化アルミニウム、水酸化酸化アルミニウム、酸化ケイ素、酸化セリウム、酸化チタン、ジルコニア、リチウムシリケート、窒化ケイ素、炭化ケイ素、酸化鉄、酸化クロム、酸化アンチモン、ダイヤモンド等が挙げられる。及びこれらの混合物の何れかの砥粒を接着層接着処理したもの等が挙げられる。
【００５９】
本実施例では、摺擦材として、アルミナ（酸化アルミニウム）系（「アランダム」又は「モランダム」とも称される）のものを用いた。アルミナ系は最も幅広く用いられる砥粒で、定着ローラ５１の離型層５１ｃに比べて十分硬度が高く、鋭角形状のため切削性に優れており、本実施例における摺擦材として好適である。
【００６０】
第一のリフレッシュローラ６０は芯金６０ａの一端部側と他端部側をそれぞれ可動のホルダ（不図示）に回転可能に軸受保持されて定着ローラ５１に対して並行に配設されている。ホルダは制御回路部１０１で制御される第一の接離手段としての第一のシフト機構６１によりシフト制御される。即ち、第一のリフレッシュローラ６０が定着ローラ５１に対して所定の進入量で加圧されて当接した状態となる作用位置（図４の（ａ））と、定着ローラ５１から非接触に離間した状態となる非作用位置（図２）と、に移動制御される。
【００６１】
第一のリフレッシュローラ６０が定着ローラ５１に対して所定の進入量で加圧されたときに第一のリフレッシュローラ６０と定着ローラ５１との間に摺擦ニップが形成される。また、定着ローラ５１に当接された第一のリフレッシュローラ６０は制御回路部１０１で制御される駆動モータＭ６０により動力伝達機構（不図示）を介して回転駆動される。
【００６２】
第一のリフレッシュローラ６０回転方向は定着ローラ５１との摺擦ニップにおいて表面移動方向が定着ローラ５１の回転に対して順方向、逆方向のいずれになるようにしてもよい。定着ローラ５１と第一のリフレッシュローラ６０でそれぞれの表面速度に周速差を持つことが望ましい。本実施例では逆方向Ｒ６０に回転駆動するようにしている。
【００６３】
また、第二のリフレッシュローラ６２も芯金６２ａの一端部側と他端部側をそれぞれ可動のホルダ（不図示）に回転可能に軸受保持されて定着ローラ５１に対して並行に配設されている。ホルダは制御回路部１０１で制御される第二の接離手段としての第二のシフト機構６３によりシフト制御される。即ち、第二のリフレッシュローラ６２が定着ローラ５１に対して所定の進入量で加圧されて当接した状態となる作用位置（図４の（ｂ））と、定着ローラ５１から非接触に離間した状態となる非作用位置（図２）と、に移動制御される。
【００６４】
第二のリフレッシュローラ６２が定着ローラ５１に対して所定の進入量で加圧されたときに第二のリフレッシュローラ６２と定着ローラ５１との間に摺擦ニップが形成される。また、定着ローラ５１に当接された第二のリフレッシュローラ６２は制御回路部１０１で制御される駆動モータＭ６２により動力伝達機構（不図示）を介して回転駆動される。
【００６５】
第二のリフレッシュローラ６２の回転方向は定着ローラ５１との摺擦ニップにおいて表面移動方向が定着ローラ５１の回転に対して順方向、逆方向のいずれになるようにしてもよい。定着ローラ５１と第二のリフレッシュローラ６２でそれぞれの表面速度に周速差を持つことが望ましい。本実施例では逆方向Ｒ６２に回転駆動するようにしている。
【００６６】
第一のシフト機構６１と第二のシフト機構６３の具体例は図には省略したけれども適宜に構成することが出来る。例えば、電磁ソレノイド・プランジャ機構、カムとレバーを用いた機構、ラックとピニオンを用いた機構、引張りワイヤ機構などの往復動機構にすることができる。
【００６７】
（４）定着ローラ５１のリフレッシュ制御
制御回路部１０１は、装置に通紙される記録材Ｓの坪量、紙種、通紙枚数等に応じて、定着装置Ｆにおける第一のリフレッシュローラ６０と第二のリフレッシュローラ６２の定着ローラ５１に対する当接−離間を選択的に制御する。即ち、定着ローラ５１に対して第一のリフレッシュローラ６０を当接させて定着ローラ５１の通紙領域全域を摺擦する第一の摺擦モードを有する。また、定着ローラ５１に対して第二のリフレッシュローラ６２を当接させて定着ローラ５１の一部分のみを摺擦する第二の摺擦モード（部分リフレッシュモード）を有する。第一の摺擦モードと第二の摺擦モードは選択的に実行される。
【００６８】
第一または第二のリフレッシュローラ６０，６２が定着ローラ５１に周速差をもって接することで、定着ローラ５１の表面に細かい摺擦傷を付ける。この細かい摺擦傷が定着ローラ５１の表面状態の凹凸の差を無くす。これにより、定着ローラ５１の表面に付いていたコバ傷に細かい摺擦傷を重畳させ、記録材では視認不可能とすることができる。リフレッシュローラ６０または６２により定着ローラ５１の外面に摺擦傷を付けることを定着部材表面リフレッシュと称する。
【００６９】
図５Ａ、図５Ｂは本実施例における第一と第二のリフレッシュローラ６０，６２の動作制御を示すフローチャートである。第一と第二のリフレッシュローラ６０，６２は共に、常時は、図２の実線示のように、定着ローラ５１の外面に対して非接触に離間している非作用位置に保持されている。制御回路部１０１は、プリントジョブが開始されると（ステップＳ１）、装置に通紙使用される記録材Ｓの坪量を確認する（Ｓ２：紙の坪量）。
【００７０】
本実施例においては、坪量が６４ｇ／ｍ2未満の記録材を「薄紙」、坪量が６４ｇ／ｍ2以上で２０８ｇ／ｍ2以下の記録材を「普通紙」、坪量が２０８ｇ／ｍ2よりも大きい記録材を「厚紙」としている。そして、本実施例においては、プリントジョブの実行の際にホスト装置２００あるいは操作パネル１０４から制御回路部１０１に対して使用記録材Ｓが、薄紙であるか、普通紙であるか、厚紙であるかの情報が他のプリント実行条件の設定と共に入力される。制御回路部１０１はその入力された情報により、通紙される記録材Ｓの坪量を特定している。
【００７１】
ａ）薄紙が通紙される場合
薄紙通紙の場合の定着部材表面リフレッシュ制御はステップＳ３〜Ｓ１１のようになされる。薄紙の場合は、定着装置Ｆにおいて紙コバ部に働く剪断力は小さいため、１０００枚以上通紙を行わないと紙コバ傷は視認されるようにはならない。したがって、薄紙の通紙を開始したら（Ｓ３）、制御回路部１０１は薄紙の通紙枚数の積算を開始する（Ｓ４）。積算枚数が１０００枚になるまでは通常の通紙（プリントジョブ）を継続する（Ｓ５、Ｓ６、Ｓ４）。
【００７２】
積算枚数が１０００枚に到達しないうちにプリントジョブが終了した場合（Ｓ６のＹｅｓ）は、そのまま通紙（プリントジョブ）を終了し（Ｓ３４）、画像形成装置を次のプリントジョブの開始信号が入力するまでスタンバイ状態に保持する。この場合、薄紙通紙についての積算枚数値は制御回路部１０１のメモリ１０３に保存され、次の薄紙通紙のプリントジョブではその保存された積算枚数値から枚数積算が継続される。
【００７３】
通紙中に積算枚数が１０００枚になった場合（Ｓ４のＹｅｓ）は、制御回路部１０１は通紙（プリントジョブ）を継続しながら（Ｓ７）、第二のシフト機構６３を制御して第二のリフレッシュローラ６２を定着ローラ５１に対して所定の進入量で加圧当接させる。また駆動モータＭ６２を起動して第二のリフレッシュローラ６２を回転駆動する（Ｓ８：第二ローラ６２−当接）。
【００７４】
これにより、第二のリフレッシュローラ６２の一端部側ローラ部分６２Ｌと他端部側ローラ部分６２Ｒにより、記録材Ｓの幅方向両側の紙コバ部が通過する定着ローラ外面領域だけが摺擦されてその領域部分についての定着部材表面リフレッシュがなされる。即ち、摺擦部材である第二のリフレッシュローラ６２により加熱部材である定着ローラ５１の一部分の外面だけを摺擦する第二の摺擦モードが実行される。
【００７５】
薄紙通紙により定着ローラ５１に形成されるコバ傷は浅い傷であることから、長時間の定着部材表面リフレッシュは必要なく、本実施例においては第二のリフレッシュローラ６２の定着ローラ５１に対する当接は５秒の設定である（Ｓ９）。
【００７６】
制御回路部１０１は５秒の当接時間が経過したら、第二のシフト機構６３を制御して第二のリフレッシュローラ６２を定着ローラ５１から非接触に離間させる。また、駆動モータＭ６２による第二のリフレッシュローラ６２の回転駆動を停止させる（Ｓ１０：第二ローラ６２−離間）。即ち、第二のリフレッシュローラ６２による定着ローラ５１の摺擦（第二の摺擦モード）を終了する。
【００７７】
第二のリフレッシュローラ６２は通紙される記録材Ｓの幅方向両側の紙コバ部により定着ローラ５１に形成されるコバ傷が通過する領域を含むが、記録材Ｓの画像形成領域ＳＩに対応する領域は含まない定着ローラ外面領域（非画像領域）だけを摺擦する。そのように設定されているため、通紙中（プリントジョブ中）に第二のリフレッシュローラ６２による定着部材表面リフレッシュを行っても、摺擦によって発生する定着ローラ離型層５１ｃの微粉に起因する画像不良が発生しない。
【００７８】
第二のリフレッシュローラ６２による摺擦によって発生する定着ローラ離型層５１ｃの微粉は引き続く定着ローラ５１の回転により定着ローラ回転方向下流側に搬送される。このとき第一のリフレッシュローラ６０は定着ローラ５１から非接触に離間した退避位置に保持されている。そのため、上記の微粉が第一のリフレッシュローラ６０に付着することはなく、また、通紙される記録材Ｓの画像形成領域ＳＩに対応する定着ローラ５１の外面のオフセットトナーも第一のリフレッシュローラ６０に付着することはない。上記の微粉やオフセットトナーは清掃ローラ６５により定着ローラ５１の外面から除去される。
【００７９】
また、第二のリフレッシュローラ６２は非画像域にしか摺擦部が無いので、通紙中に定着部材表面リフレッシュを行ってもオフセットトナーで摺擦部が汚れることは無かった。したがって、通紙中に定着部材表面リフレッシュを行うことが可能で、ダウンタイムが発生しない。定着部材表面リフレッシュを終了した時点で薄紙通紙についての積算枚数値をリセットし（Ｓ１１）、プリントジョブを継続する（Ｓ６）。プリントジョブが終了したら通紙を終了し（Ｓ３４）、画像形成装置を次のプリントジョブの開始信号が入力するまでスタンバイ状態に保持する。
【００８０】
ｂ）普通紙が通紙される場合
普通紙通紙の場合の定着部材表面リフレッシュ制御はステップＳ１１〜Ｓ１９のようになされる。上述した薄紙通紙される場合の定着部材表面リフレッシュ制御のステップＳ３〜Ｓ１１との対比において下記の２点が異なるだけで他は同様の制御ステップである。
【００８１】
積算枚数の閾値について、薄紙通紙の場合の１０００枚（Ｓ４）に対して普通紙通紙の場合は５００枚（Ｓ１２）に変更した。また、定着ローラ５１に対する第二のリフレッシュローラ６２の当接時間について、薄紙通紙の場合の５秒（Ｓ９）に対して普通紙通紙の場合は１０秒（Ｓ１７）に変更した。
【００８２】
普通紙通紙の場合は、定着装置Ｆにおいて紙コバ部に働く剪断力は薄紙よりは大きいもののさほど大きくないため、５００枚以上通紙を行わないと紙コバ傷は視認されるようにはならない。したがって、本実施例においては普通紙通紙の場合の積算枚数の閾値は５００枚の設定としている。
【００８３】
また、普通紙通紙により定着ローラ５１に形成されるコバ傷は薄紙によるコバ傷よりは深い。そのため、第二のリフレッシュローラ６２による定着ローラ５１の摺擦時間は薄紙通紙の場合の摺擦時間よりは多く必要となる。本実施例においては定着ローラ５１に対する第二のリフレッシュローラ６２の当接時間は１０秒の設定としている。
【００８４】
この普通紙通紙の場合も、薄紙通紙の場合と同様に、通紙中（プリントジョブ中）に第二のリフレッシュローラ６２による定着部材表面リフレッシュを行っても、摺擦によって発生する定着ローラ離型層５１ｃの微粉に起因する画像不良が発生しない。通紙中に定着部材表面リフレッシュを行うことが可能であるからダウンタイムが発生しない。
【００８５】
ｃ）厚紙が通紙される場合
厚紙通紙の場合の定着部材表面リフレッシュ制御はステップＳ２０〜Ｓ３３（図５Ｂ）のようになされる。
【００８６】
厚紙通紙の場合は、定着装置Ｆにおいて紙コバ部に強い剪断力が働くため通紙１００枚程度で紙コバ傷が視認されるようになる。また、厚紙の場合は強い剪断力が働くため、紙の搬送方向先端や後端のコバでもコバ傷が発生する（以後「先後端コバ傷」と称す）。先後端コバ傷は通紙領域全面に発生するため第二のリフレッシュローラ６２では視認不能にすることができない。
【００８７】
したがって、厚紙通紙の場合は、通紙を開始したら（Ｓ２０）、制御回路部１０１は厚紙の通紙枚数の積算を開始する（Ｓ２１）。積算枚数が１００枚になるまでは通常の通紙（プリントジョブ）を継続する（Ｓ２２、Ｓ２３、Ｓ２１）。積算枚数が１００枚に到達しないうちにプリントジョブが終了した場合（Ｓ２３のＹｅｓ）は、そのまま通紙（プリントジョブ）を終了し（Ｓ３４）、画像形成装置を次のプリントジョブの開始信号が入力するまでスタンバイ状態に保持する。
【００８８】
この場合、厚紙通紙についての積算枚数は制御回路部１０１のメモリ１０３に保存され、次の厚紙通紙のプリントジョブではその保存された積算枚数値から枚数積算が継続される。
【００８９】
通紙中に積算枚数が１００枚になった場合（Ｓ２１のＹｅｓ）は、制御回路部１０１は通紙（プリントジョブ）を中断（Ｓ２４）し、定着装置Ｆについては、定着ローラ５１と加圧ローラ５２の空回転を実施する（Ｓ２５）。これは、第一のリフレッツシュローラ６０による定着部材表面リフレッシュを実行する前に定着ローラ５１にオフセットトナー等の汚れがないように清掃するためであり、本実施例では５秒間の空回転を実施する（Ｓ２６）。定着ローラ５１の清掃は定着ローラ５１に当接している清掃ローラ６５でなされる。
【００９０】
定着ローラ５１に対するオフセットトナーは画像域にしか発生しない。第二のリフレッシュローラ６２は非画像域にしか摺擦部が無いので、通紙中に定着部材表面リフレッシュを行っても摺擦部が汚れることは無かった。しかし、第一のリフレッシュローラ６０については定着ローラ５１の画像域に摺擦部があるため、定着ローラ５１の表面に汚れがある状態で定着部材表面リフレッシュを行うと、第一のリフレッシュローラ６０を汚してしまう可能性がある。
【００９１】
リフレッシュローラ表面は表面エネルギーが大きく、汚れてしまったときに清掃が難しい。汚れたリフレッシュローラで摺擦を行うと、充分な表面性が得られなかったり、定着部材表面に傷を付け画像不良を発生させたりする場合がある。そこで、定着ローラ５１の画像域に摺擦部がある第一のリフレッシュローラ６０を定着ローラ５１に当接させて定着部材表面リフレッシュを行う場合においては、ステップＳ２４、Ｓ２５のように、通紙を中断し、定着装置Ｆを所定時間について空回転させる。これにより定着ローラ５１の表面を清掃するステップを設ける。
【００９２】
そして、制御回路部１０１は清掃が終了した後に、第一のシフト機構６１を制御して第一のリフレッシュローラ６０を定着ローラ５１に対して所定の進入量にて加圧当接させる。また、駆動モータＭ６０を起動させて第一のリフレッシュローラ６０を回転駆動する（Ｓ２７：第一ローラ６０−当接）。第一のリフレッシュローラ６０は定着ローラ５１の通紙領域全面を摺擦できるので、通常の紙コバ傷と先後端コバ傷の両方とも視認不能にすることができる（定着ローラ５１の通紙領域全域の外面を摺擦する第一の摺擦モード）。
【００９３】
厚紙の場合は強い剪断力が働くため多くの摺擦時間が必要となる。本実施例においては定着ローラ５１に対する第一のリフレッシュローラ６０の当接時間を２０秒に設定している（Ｓ２８）。制御回路部１０１は２０秒の当接時間が経過したら、第一のシフト機構６１を制御して第一のリフレッシュローラ６０を定着ローラ５１から非接触に離間させる。また、駆動モータＭ６０による第一のリフレッシュローラ６０の回転駆動を停止させる（Ｓ２９：第一ローラ６０−離間）。即ち、第一のリフレッシュローラ６０による定着ローラ５１の摺擦（第一の摺擦モード）を終了する。
【００９４】
この定着部材表面リフレッシュを終了したら、第一のリフレッシュローラ６０による摺擦によって定着ローラ５１の表面に発生する微粉による画像不良を発生させないために、定着ローラ５１の外面を清掃するための空回転を実施する（Ｓ３０）。本実施例では１０秒間の空回転を実施する（Ｓ３１）。空回転を終了した時点で厚紙通紙についての積算枚数値をリセットし（Ｓ３２）、通紙（プリントジョブ）を再開する（Ｓ３３）。そして、プリントジョブが終了したら通紙を終了し（Ｓ３４）、画像形成装置を次のプリントジョブの開始信号が入力するまでスタンバイ状態に保持する。
【００９５】
第二のリフレッシュローラ６２がなく、第一のリフレッシュローラ６０のみで紙コバ傷の発生を防止する場合、薄紙では摺擦前の空回転で５秒、摺擦で５秒、摺擦後の空回転で１０秒の、合わせて２０秒のダウンタイムが１０００枚の通紙ごとに発生してしまう。普通紙では摺擦前の空回転で５秒、摺擦で１０秒、摺擦後の空回転で１０秒の、合わせて２５秒のダウンタイムが５００枚の通紙ごとに発生してしまう。
【００９６】
本実施例では、薄紙通紙と普通紙通紙の場合の定着部材表面リフレッシュは通紙を継続させたままで画像不良を発生させることなく行うことが可能であるからダウンタイムが発生しない。したがって、薄紙通紙、普通紙通紙、厚紙通紙の全体における定着部材表面リフレッシュ動作に起因するダウンタイムを低減化することができる。
【００９７】
本実施例においては、第一のリフレッシュローラ６０が前記第一の摺擦モードの実行時に定着ローラ５１の外面に当接されて定着ローラ５１の通紙領域全域の外面を摺擦する第一の摺擦部材である。そして、第二のリフレッシュローラ６２が前記第二の摺擦モードの実行時に定着ローラ５１の外面に当接されて定着ローラ５１の一部分の外面だけを摺擦する第二の摺擦部材である。
【００９８】
本実施例においては、装置に通紙使用される記録材について、薄紙、普通紙、厚紙の坪量別に積算通紙枚数がカウントされる。そして、上記の坪量別の記録材の積算通紙枚数がそれぞれに設定した所定の閾値に到達したときに、薄紙と普通紙については前記第二の摺擦モードが実行され、厚紙については前記第一の摺擦モードが実行されることで定着部材表面リフレッシュがなされる。
【００９９】
本実施例においては、説明の便宜上、薄紙、普通紙、厚紙の各記録材のいずれも幅サイズが装置Ｆに対する記録材Ｓの最大通紙可能領域幅ＷＳに対応する大きいサイズの紙（大サイズ紙）についてのみ説明した。しかし、大小各種幅サイズの記録材についても対応可能である。
【０１００】
即ち、上記の大サイズ紙よりも幅が小さい記録材（小サイズ紙）に関しては、例えば、第二のリフレッシュローラ６２（６２Ｌ、６２Ｒ）の摺擦部分を可動式にして記録材の幅サイズに応じて摺擦部分を移動させて対応することが可能である。また、使用頻度の高い紙サイズに第二のリフレッシュローラ６２（６２Ｌ，６２Ｒ）を設定しておき、使用頻度の高くない紙サイズに関しては第一のリフレッシュローラ６０で対応することも可能である。
【０１０１】
以上述べたように、本実施例においては紙コバ傷を防止すると共に、画像不良を発生させることなく、薄紙と普通紙でダウンタイムの発生を防止することができる。
【０１０２】
［実施例２］
（１）定着装置Ｆの構成
図６は本実施例における定着装置Ｆの要部の部分的な模式図である。本実施例における定着装置Ｆは、実施例１の図２の定着装置Ｆとの対比において、定着部材表面リフレッシュのための摺擦部材の構成と動作制御が異なるだけで、その他の装置構成、定着動作は同じなので再度の説明は省略する。本実施例においては摺擦部材として実施例１の定着装置Ｆにおける第一のリフレッシュローラ６０と第二のリフレッシュローラ６２の両ローラを兼用させた１本のリフレッシュローラ６６を具備させている。
【０１０３】
このリフレッシュローラ６６は、図７の模式図のように、定着ローラ５１の長さ寸法Ｌ５１とほぼ同じ長さ寸法Ｌ６６に設定されている。本実施例において定着ローラ５１の長さ寸法Ｌ５１とリフレッシュローラ６６の長さ寸法Ｌ６６は共に３４０ｍｍとしている。
【０１０４】
リフレッシュローラ６６は長手方向中央部の外径に対して長手方向端部に行くにしたがって外径が大きくなっている所謂逆クラウン形状になっている。芯金６６ａの外回りに同心一体に設けた逆クラウン形状のＳＵＳ製ローラ６６ｂの外周面に接着層を介して摺擦材としての砥粒を密に接着して摺擦層６６ｃを形成したものである。本実施例においては長手方向の中央部の外径φａが１２ｍｍであるのに対して、端部の外径φｂが１３ｍｍとなっている。
【０１０５】
リフレッシュローラ６６は芯金６６ａの一端部側と他端部側をそれぞれ可動のホルダ（不図示）に回転可能に軸受保持させて定着ローラ５１に対して並行に配設されている。ホルダは制御回路部１０１で制御される接離手段としてのシフト機構６７によりシフト制御される。即ち、リフレッシュローラ６６が定着ローラ５１に対して弾性層５１ｂの弾性に抗して所定の進入量で加圧されて当接した状態となる作用位置（図６の破線示）と、定着ローラ５１から非接触に離間した状態となる非作用位置（図６の実線示）と、に移動制御される。
【０１０６】
また本実施例のシフト機構６７はステッピングモータ等を用いることで、リフレッシュローラ６６の移動量を自由に変えられるようになっている。これにより、制御回路部１０１はシフト機構６７を制御して定着ローラ５１に対するリフレッシュローラ６６の進入量を種々の所定の量に設定することが可能になっている。また、リフレッシュローラ６６は定着ローラ５１に当接した状態において駆動モータ（不図示）により定着ローラ５１と表面速度に周速差を持って回転駆動されて定着ローラ５１の外面を摺擦する構成にされている。
【０１０７】
図７において、Ｗｍａｘは装置Ｆの最大通紙幅であり、本実施例においてはＡ３縦送りの２９７ｍｍ幅である。大小各種幅サイズの記録材の通紙は記録材幅中心のいわゆる中央基準にて搬送される。幅が最大通紙幅Ｗｍａｘに対応する記録材を大サイズ紙、幅が最大通紙幅Ｗｍａｘよりも小さい記録材を小サイズ紙とする。
【０１０８】
（２）定着ローラ５１のリフレッシュ制御
図８Ａ、図８Ｂは本実施例におけるリフレッシュローラ６６の動作制御を示すフローチャートである。リフレッシュローラ６６は、常時は、図６、図７のように、定着ローラ５１の外面に対して非接触に離間している非作用位置に保持されている。本実施例においては装置に通紙される記録材が、大サイズ普通紙の場合と、小サイズ普通紙の場合と、サイズを問わず厚紙の場合とで、定着部材表面リフレッシュのためのリフレッシュローラ６６の動作を制御している。
【０１０９】
ａ）大サイズ普通紙が通紙される場合
制御回路部１０１は、プリントジョブが開始されると（Ｓ１）、装置に通紙使用される記録材Ｓの坪量を確認する（Ｓ２：紙の坪量）。坪量が２０８ｇ／ｍ2以下の普通紙が通紙される場合は、次に紙幅を確認する（Ｓ３）。まずは紙幅が最大通紙幅Ｗｍａｘに対応する幅２９７ｍｍのＡ３サイズ（縦送り）である大サイズ紙の場合を説明する。大サイズ普通紙には強い剪断力は働かないため５００枚以上通紙を行わないと紙コバ傷は視認されるようにはならない。
【０１１０】
大サイズ普通紙の通紙を開始したら（Ｓ４）、制御回路部１０１は大サイズ普通紙の通紙枚数の積算を開始する（Ｓ５）。積算枚数が５００枚になるまでは通常の通紙（プリントジョブ）を継続する（Ｓ６、Ｓ７、Ｓ５）。積算枚数が５００枚に到達しないうちにプリントジョブが終了した場合（Ｓ７のＹｅｓ）は、そのまま通紙（プリントジョブ）を終了し（Ｓ３６）、画像形成装置を次のプリントジョブの開始信号が入力するまでスタンバイ状態に保持する。
【０１１１】
この場合、大サイズ普通紙についての積算枚数値は制御回路部１０１のメモリ１０３に保存され、次の大サイズ普通紙のプリントジョブにおいてはその保存された積算枚数値から枚数積算が継続される。
【０１１２】
通紙中に積算枚数が５００枚になった場合（Ｓ５のＹｅｓ）は、制御回路部１０１は次の制御をする。即ち、通紙（プリントジョブ）を継続しながら（Ｓ８）、シフト機構６７を制御してリフレッシュローラ６６を定着ローラ５１の外面に対して弾性層５１ｂの弾性に抗して所定の進入量にて加圧当接させる。本実施例においては、幅２９７ｍｍの大サイズ普通紙の場合の進入量として予め定めた０．０７ｍｍの進入量にてリフレッシュローラ６６を定着ローラ５１に加圧当接させる。また、駆動モータ（不図示）を起動させてリフレッシュローラ６６を回転駆動する（Ｓ９：ローラ６６−当接）
本実施例において定着ローラ５１には弾性層５１ｂがあるため、リフレッシュローラ６６の定着ローラ５１に対する進入量を変える事でリフレッシュローラ６６と定着ローラ５１の当接幅を変えることができる。
【０１１３】
図９の（ａ）は、進入量０．０７ｍｍの場合における、リフレッシュローラ６６の定着ローラ５１に対する当接時の長手位置関係を示した図である。７０Ｌおよび７０Ｒは幅２９７ｍｍの大サイズ紙を通紙したときにその記録材の幅方向両側の紙コバ部が通過する定着ローラ５１上の位置である。７０Ｌと７０Ｒとの間隔は２９７ｍｍである。７１Ｌおよび７１Ｒは幅２９７ｍｍの大サイズ紙における画像領域の幅方向端部を示している。本実施例においては余白幅（紙幅と画像領域幅との差領域）αを３．５ｍｍとしているため、７１Ｌと７１Ｒとの間隔は２９０ｍｍである。
【０１１４】
リフレッシュローラ６６は定着ローラ５１の紙コバ通過部には当接させ、定着ローラ５１の画像領域対応部には当接させない。本実施例においてはリフレッシュローラ６６と定着ローラ５１は長さ寸法（長手幅）Ｌ５１とＬ６６がそれぞれ３４０ｍｍになっていて、リフレッシュローラ６６の長手中央部の外径φａ：１２ｍｍと端部の外径φｂ：１３ｍｍの差は１ｍｍとなっている。そのため、本実施例では、大サイズ普通紙の場合のリフレッシュローラ６６の定着ローラ５１に対する当接時の進入量は次のように設定している。
【０１１５】
(1/2)−(1/2)＊(297/340)＜進入量＜(1/2)−(1/2)＊(290/340) 単位：ｍｍ
となり、０．０６３ｍｍ＜進入量＜０．０７４ｍｍとなるため、進入量を０．０７ｍｍと設定している。
【０１１６】
これにより、リフレッシュローラ６６を大サイズ普通紙の幅方向両側の紙コバ部により定着ローラ５１に形成されるコバ傷が通過する領域を含むが、画像領域対応部は含まない定着ローラ外面領域（非画像領域）ＡＬ・ＡＲだけに当接させて摺擦することができる。即ち、リフレッシュローラ６６により定着ローラ５１の一部分の外面だけを摺擦する第二の摺擦モードが実行される。
【０１１７】
本実施例においてはリフレッシュローラ６６の定着ローラ５１に対する当接は１０秒の設定である（Ｓ１０）。制御回路部１０１は１０秒の当接時間が経過したら、シフト機構６７を制御してリフレッシュローラ６６を定着ローラ５１から非接触に離間させる。また、駆動モータによる該ローラ６６の回転駆動を停止させる（Ｓ１１：ローラ６６−離間））。即ち、リフレッシュローラ６６による定着ローラ５１の摺擦（第二の摺擦モード）を終了する。
【０１１８】
定着部材表面リフレッシュを終了した時点で大サイズ普通紙についての積算枚数値をリセットし（Ｓ１２）、プリントジョブを継続する（Ｓ７、Ｓ５、Ｓ６）。プリントジョブが終了（Ｓ７のＹｅｓ）したら通紙を終了し（Ｓ３６）、画像形成装置を次のプリントジョブの開始信号が入力するまでスタンバイ状態に保持する。
【０１１９】
上記のように大サイズ普通紙の通紙の場合における定着部材表面リフレッシュの実行時には、リフレッシュローラ６６は定着ローラ５１のコバ傷が通過する領域を含むが、画像領域対応部は含まない非画像領域ＡＬ・ＡＲだけに当接して摺擦する。そのため、通紙中（プリントジョブ中）にリフレッシュローラ６６による定着部材表面リフレッシュを行っても、摺擦によって発生する定着ローラ離型層５１ｃの微粉に起因する画像不良が発生しない。
【０１２０】
リフレッシュローラ６６による摺擦によって発生する定着ローラ離型層５１ｃの微粉は引き続く定着ローラ５１の回転により定着ローラ回転方向下流側に搬送され清掃ローラ６５により定着ローラ５１の外面から除去される。また、定着ローラ５１の画像領域対応部におけるオフセットトナーも清掃ローラ６５により定着ローラ５１の外面から除去される。また、リフレッシュローラ６６は非画像域にしか摺擦部が無いので、通紙中に定着部材表面リフレッシュを行ってもオフセットトナーで摺擦部が汚れることは無かった。
【０１２１】
したがって、通紙中に定着部材表面リフレッシュを行うことが可能で、ダウンタイムが発生しない。
【０１２２】
ｂ）小サイズ普通紙が通紙される場合
ここでは、小サイズ普通紙として幅が２５７ｍｍであるＢ４サイズ横送りの記録材を例にして説明する。小サイズ普通紙の場合の定着部材表面リフレッシュ制御はステップＳ１３〜Ｓ２１のようになされる。上述した大サイズ普通紙の場合の定着部材表面リフレッシュ制御のステップＳ４〜Ｓ１２との対比において下記の２点が異なるだけで他は同様の制御ステップである。
【０１２３】
積算枚数の閾値について、大サイズ普通紙の場合の５００枚（Ｓ５）に対しての場合は４００枚（Ｓ１４）に変更した。また、定着ローラ５１に対するリフレッシュローラ６６の当接進入量について、大サイズ普通紙の場合の０．０７ｍｍ（Ｓ９）に対して小サイズ普通紙（本実施例：Ｂ４サイズ横送り）の場合は０．１３ｍｍ（Ｓ１８）に変更した。
【０１２４】
装置Ｆに通紙される記録材は幅が狭くなると加圧力が集中してコバ部に働く剪断力が大きくなり紙コバ部での剪断力が大きくなり、定着ローラ表層に傷（紙コバ傷）が発生しやすくなる。したがって、本実施例においては小サイズ普通紙の場合は積算枚数４００枚で定着部材表面リフレッシュを行うことにしている。
【０１２５】
図９の（ｂ）は、進入量０．１３ｍｍの場合における、リフレッシュローラ６６の定着ローラ５１に対する当接時の長手位置関係を示した図である。７２Ｌおよび７２Ｒは幅２５７ｍｍの小サイズ紙を通紙したときにその記録材の幅方向両側の紙コバ部が通過する定着ローラ５１上の位置である。７２Ｌと７２Ｒとの間隔は２５７ｍｍである。７３Ｌおよび７３Ｒは幅２５７ｍｍの小サイズ紙における画像領域の幅方向端部を示している。本実施例においては余白幅αを３．５ｍｍとしているため、７３Ａと７３Ｂとの間隔は２５０ｍｍである。
【０１２６】
リフレッシュローラ６６は定着ローラ５１の紙コバ通過部には当接させ、定着ローラ５１の画像領域対応部には当接させない。本実施例においてはリフレッシュローラ６６と定着ローラ５１は長さ寸法（長手幅）Ｌ５１とＬ６６がそれぞれ３４０ｍｍになっていて、リフレッシュローラ６６の長手中央部の外径φａ：１２ｍｍと端部の外径φｂ：１３ｍｍの差は１ｍｍとなっている。そのため、本実施例では、小サイズ普通紙であるＢ４サイズ横送りの場合のリフレッシュローラ６６の定着ローラ５１に対する当接時の進入量は次のように設定している。
【０１２７】
(1/2)−(1/2)＊(257/340)＜進入量＜(1/2)−(1/2)＊(250/340)     単位：ｍｍ
となり、０．１２２ｍｍ＜進入量＜０．１３２ｍｍとなるため、進入量を０．１３ｍｍと設定している。
【０１２８】
これによりリフレッシュローラ６６をＢ４サイズ横送りの幅方向両側の紙コバ部により定着ローラ５１に形成されるコバ傷が通過する領域を含むが、画像領域対応部は含まない定着ローラ外面領域（非画像領域）ＡＬ・ＡＲだけに当接させて摺擦することができる。即ち、リフレッシュローラ６６により定着ローラ５１の一部分の外面だけを摺擦する第二の摺擦モードが実行される。
【０１２９】
小サイズ普通紙の場合も、大サイズ普通紙の場合と同様に、通紙中（プリントジョブ中）にリフレッシュローラ６６による定着部材表面リフレッシュを行っても、摺擦によって発生する定着ローラ離型層５１ｃの微粉に起因する画像不良が発生しない。通紙中に定着部材表面リフレッシュを行うことが可能であるからダウンタイムが発生しない。
【０１３０】
ｃ）厚紙が通紙される場合
厚紙通紙の場合の定着部材表面リフレッシュ制御は、紙幅の大小に関係なく、全てのサイズにおいて、ステップＳ２２〜Ｓ３５（図８Ｂ）のようになされる。前述した実施例１の厚紙通紙の場合の定着部材表面リフレッシュ制御のステップＳ２０〜Ｓ３３（図５Ｂ）との対比において下記の点が異なるだけで他は同様の制御ステップである。
【０１３１】
即ち、本実施例においては、実施例１のステップＳ２７に対応するステップＳ２９におけるリフレッシュローラ６６の定着ローラ５１に対する当接を、進入量０．６０ｍｍに設定してリフレッシュローラ６６の全長域を定着ローラ５１に当接させている。これにより、リフレッシュローラ６６は定着ローラ５１の通紙領域全面を摺擦できるので、通常の紙コバ傷と先後端コバ傷の両方とも視認不能にすることができる（定着ローラ５１の通紙領域全域の外面を摺擦する第一の摺擦モード）。
【０１３２】
厚紙通紙の場合は大サイズ紙の場合も小サイズ紙の場合も先後端コバ傷を視認不能にするために、リフレッシュローラ６６の全長域を定着ローラ５１に接触させる必要がある。本実施例においては、リフレッシュローラ６６の長手方向中央部の外径φａと端部の外径φｂの差は１ｍｍである。そのため、その半分の０．５ｍｍ（１／２ｍｍ）以上の進入量が無ければ、図１０に示すようにリフレッシュローラ６６の全長域が定着ローラ５１に当接しない。
【０１３３】
そこで、本実施例においては、長手方向中央部でも充分な当接圧を得るために、ステップＳ２９におけるリフレッシュローラ６６の定着ローラ５１に対する当接を進入量０．６０ｍｍにて行っている。即ち、制御回路部１０１はステップＳ２９において０．６０ｍｍの進入量になるようにシフト機構６７を制御してリフレッシュローラ６６を定着ローラ５１の外面に対して弾性層５１ｂの弾性に抗して加圧当接させる。また、駆動モータ（不図示）を起動させてリフレッシュローラ６６を回転駆動させる。
【０１３４】
これにより、厚紙通紙の場合の定着部材表面リフレッシュ（定着ローラ５１の通紙領域全域の外面を摺擦する第一の摺擦モード）を実行する。
【０１３５】
ここで、本実施例においては、便宜上、大サイズ普通紙としてＡ３サイズの幅（２９７ｍｍ）と小サイズ普通紙としてＢ４サイズの幅（２５７ｍｍ）の２種の幅の記録材を例にして説明した。これに限られず、リフレッシュローラ６６の定着ローラ５１に対する進入量を変えることで、各種幅サイズの記録材に対応可能である。
【０１３６】
本実施例においては、装置に通紙使用される記録材について、大サイズ普通紙、小サイズ普通紙、厚紙についてその各種類別に積算通紙枚数がカウントされる。そして、上記の種類別の記録材の積算通紙枚数がそれぞれに設定した所定の閾値に到達したときに、大サイズ普通紙と小サイズ普通紙については前記第二の摺擦モードが実行される。厚紙については前記第一の摺擦モードが実行される。これにより定着部材表面リフレッシュがなされる。
【０１３７】
以上の本実施例の定着装置Ｆの構成をまとめると次のとおりである。加熱部材としての定着ローラ５１は弾性層５１ｂを有する。摺擦部材としてのリフレッシュローラ６６は長手方向の中央部に対し端部のほうが定着ローラ５１との距離が短く、且つ、弾性層５１ｂの弾性に抗して定着ローラ５１に対して当接される。
【０１３８】
そして、リフレッシュローラ６６の定着ローラ５１に対する進入量を変化させることでリフレッシュローラ６６が定着ローラ５１を摺擦する領域を変化させる。これにより、定着ローラ５１の通紙領域全域を摺擦する第一の摺擦モードと定着ローラ５１の一部分のみを摺擦する第二の摺擦モードとを選択的に実行する。
【０１３９】
以上のように、本実施例では、普通紙の場合は紙幅の大小に関係なく全てのサイズの記録材について定着部材表面リフレッシュを、通紙を継続させたままで画像不良を発生させることなく行うことが可能であるからダウンタイムが発生しない。したがって、厚紙通紙を含めた全体における定着部材表面リフレッシュ動作に起因するダウンタイムを低減化することができる。また、本実施例においては普通紙のダウンタイムの発生を防止できるだけでなく、１本のリフレッシュローラ６６で普通紙も厚紙も対応することが可能となる。
【０１４０】
［実施例３］
図１１ないし図１３は本実施例における定着装置Ｆの要部の模式図である。本実施例における定着装置Ｆは、実施例１と同２の定着装置Ｆとの対比において、定着部材表面リフレッシュのための摺擦部材の構成と動作制御が異なるだけで、その他の装置構成、定着動作は同じなので再度の説明は省略する。
【０１４１】
本実施例においては、摺擦部材として、実施例２の定着装置Ｆにおける逆クラウン形状のリフレッシュローラ６６に代えて、逆クラウンのないストレート形状の１本のリフレッシュローラ６８を用いている。逆クラウンのないストレート形状のリフレッシュローラ６６でも紙コバのみを摺擦することは可能である。即ち、図１２や図１３のように、長手方向両端側の定着ローラ５１に対する侵入量をそれぞれ変えられる接離手段としてのシフト機構６９Ｌ，６９Ｒによりリフレッシュローラ６８の片側のみを交互に当接させることで、紙コバのみを摺擦することは可能である。
【０１４２】
図１１の（ａ）において、ストレート形状のリフレッシュローラ６８は定着ローラ５１の長さ寸法Ｌ５１とほぼ同じ長さ寸法Ｌ６８に設定されている。本実施例において定着ローラ５１の長さ寸法Ｌ５１とリフレッシュローラ６８の長さ寸法Ｌ６８は共に３４０ｍｍとしている。Ｗｍａｘは装置Ｆの最大通紙幅であり、本実施例においてはＡ３縦送りの２９７ｍｍ幅である。
【０１４３】
リフレッシュローラ６８は、実施例１の定着装置Ｆにおけるリフレッシュローラ６０と同様に、芯金の外回りに同心一体に設けた外径１２ｍｍのストレートのＳＵＳ製ローラの外周面に接着層を介して摺擦材としての砥粒を密に接着して摺擦層を形成したものである。
【０１４４】
リフレッシュローラ６８は両端側それぞれにおいて一端側のシフト機構６９Ｌと他端側のシフト機構６９Ｒにより個別に定着ローラ５１に対して接離可能である。シフト機構６９Ｌ，６９Ｒは、例えばラック−ピニオン機構であり、それぞれ制御回路部１０１により制御される。リフレッシュローラ６８は、常時は、図１１の（ａ）のように、両端部側共に定着ローラ５１に対して非接触に離間している非作用位置に保持されている。
【０１４５】
ａ）厚紙が通紙される場合
厚紙の積算通紙枚数が所定の閾値に到達したときに実行する第一の摺擦モードは、図１１の（ｂ）のように、リフレッシュローラ６８の両端側が共に定着ローラ５１に対して所定の進入量で加圧当接される。即ち、リフレッシュローラ６８の全長域が定着ローラ５１に対して当接される。そして駆動手段（不図示）によりリフレッシュローラ６８の回転駆動がなされる。これにより、定着ローラ５１の通紙領域全域を摺擦する第一の摺擦モードが実行される。
【０１４６】
ｂ）大サイズ普通紙が通紙される場合
図１２の（ａ）と（ｂ）は大サイズ普通紙の積算通紙枚数が所定の閾値に到達したときに実行する第二の摺擦モードの実行時のリフレッシュローラ６８の動作制御を示している。本実施例においては、大サイズ普通紙は、紙幅が最大通紙幅Ｗｍａｘに対応する幅２９７ｍｍのＡ３サイズ（縦送り）である。
【０１４７】
７０Ｌおよび７０Ｒは幅２９７ｍｍの大サイズ紙を通紙したときにその記録材の幅方向両側の紙コバ部が通過する定着ローラ５１上の位置である。７０Ｌと７０Ｒとの間隔は２９７ｍｍである。７１Ｌおよび７１Ｒは幅２９７ｍｍの大サイズ紙における画像領域の幅方向端部を示している。本実施例においては余白幅（紙幅と画像領域幅との差領域）αを３．５ｍｍとしているため、７１Ｌと７１Ｒとの間隔は２９０ｍｍである。
【０１４８】
制御回路部１０１は、まず、図１２の（ａ）のように、リフレッツシュローラ６８の一端側（他端側が先であってもよい）についてその側の定着ローラ端部に所定の接触幅をもって定着ローラ５１の弾性層の弾性に抗して所定の進入量で加圧当接させる。
【０１４９】
即ち、定着ローラ５１の一端側のコバ傷が通過する領域を含むが、画像領域対応部は含まない定着ローラ外面領域（非画像領域）ＡＬだけに当接させるようにシフト機構６９Ｌ，６９Ｒを制御する。そして駆動手段（不図示）によりリフレッシュローラ６８を回転駆動する。この状態で定着ローラの一端側の定着ローラ外面領域ＡＬについての摺擦を所定の時間実行する。
【０１５０】
この場合、定着ローラ５１の片側（一端側）のコバ傷が通過する領域ＡＬをのみしか摺擦できないため、この片側を摺擦が終わったら、図１２の（ｂ）に示すように反対側（他端側）の摺擦をおこなう。即ち、制御回路部１０１は、次に、図１２の（ｂ）のように、リフレッツシュローラ６８の他端側についてその側の定着ローラ端部に所定の接触幅をもって定着ローラ５１の弾性層の弾性に抗して所定の進入量で加圧当接させる。
【０１５１】
即ち、定着ローラ５１の他端側のコバ傷が通過する領域を含むが、画像領域対応部は含まない定着ローラ外面領域（非画像領域）ＡＲだけに当接させるようにシフト機構６９Ｌ，６９Ｒを制御する。そして駆動手段（不図示）によりリフレッシュローラ６８を回転駆動する。この状態で定着ローラの他端側の定着ローラ外面領域ＡＬについての摺擦を所定の時間実行する。
【０１５２】
ｃ）小サイズ普通紙が通紙される場合
図１３の（ａ）と（ｂ）は小サイズ普通紙の積算通紙枚数が所定の閾値に到達したときに実行する第二の摺擦モードの実行時のリフレッシュローラ６８の動作制御を示している。本実施例においては、小サイズ普通紙は、紙幅が２５７ｍｍｎのＢ４サイズ（横送り）である。
【０１５３】
７２Ｌおよび７２Ｒは幅２５７ｍｍの小サイズ紙を通紙したときにその記録材の幅方向両側の紙コバ部が通過する定着ローラ５１上の位置である。７２Ｌと７２Ｒとの間隔は２５７ｍｍである。７３Ｌおよび７３Ｒは幅２５７ｍｍの小サイズ紙における画像領域の幅方向端部を示している。本実施例においては余白幅（紙幅と画像領域幅との差領域）αを３．５ｍｍとしているため、７３Ｌと７３Ｒとの間隔は２５０ｍｍである。
【０１５４】
制御回路部１０１は、まず、図１３の（ａ）のように、リフレッツシュローラ６８の一端側（他端側が先であってもよい）についてその側の定着ローラ端部に所定の接触幅をもって定着ローラ５１の弾性層の弾性に抗して所定の進入量で加圧当接させる。
【０１５５】
即ち、定着ローラ５１の一端側のコバ傷が通過する領域を含むが、画像領域対応部は含まない定着ローラ外面領域（非画像領域）ＡＬだけに当接させるようにシフト機構６９Ｌ，６９Ｒを制御する。そして駆動手段（不図示）によりリフレッシュローラ６８を回転駆動する。この状態で定着ローラの一端側の定着ローラ外面領域ＡＬについての摺擦を所定の時間実行する。
【０１５６】
次に、制御回路部１０１は、図１３の（ｂ）のように、リフレッツシュローラ６８の他端側についてその側の定着ローラ端部に所定の接触幅をもって定着ローラ５１の弾性層の弾性に抗して所定の進入量で加圧当接させる。即ち、定着ローラ５１の他端側のコバ傷が通過する領域を含むが、画像領域対応部は含まない定着ローラ外面領域（非画像領域）ＡＲだけに当接させるようにシフト機構６９Ｌ，６９Ｒを制御する。そして駆動手段（不図示）によりリフレッシュローラ６８を回転駆動する。この状態で定着ローラの他端側の定着ローラ外面領域ＡＬについての摺擦を所定の時間実行する。
【０１５７】
ここで、本実施例においては、便宜上、大サイズ普通紙としてＡ３サイズの幅（２９７ｍｍ）と小サイズ普通紙としてＢ４サイズの幅（２５７ｍｍ）の２種の幅の記録材を例にして説明した。これに限られず、リフレッシュローラ６６の一端部側と他端部を定着ローラ５１に対して交互に所定の領域幅をもって当接させて摺擦する制御をすることで各種幅サイズの記録材に対応可能である。
【０１５８】
また、幅の小さい記録材の紙コバを摺擦するには図１３に示すようにリフレッシュローラ６８の当接させない側も移動させることで、リフレッシュローラ６８と定着ローラ５１のなす角度を小さくすることで、接触面積を増やしても良い。厚紙においては図１１の（ｂ）に示すように両側を当接させることで対応可能である
本実施例においても、装置に通紙使用される記録材について、大サイズ普通紙、小サイズ普通紙、厚紙についてその各種類別に積算通紙枚数がカウントされる。そして、上記の種類別の記録材の積算通紙枚数がそれぞれに設定した所定の閾値に到達したときに、大サイズ普通紙と小サイズ普通紙については前記第二の摺擦モードが実行される。厚紙については前記第一の摺擦モードが実行される。これにより定着部材表面リフレッシュがなされる。
【０１５９】
以上述べたように、本実施例においては１本のリフレッシュローラ６８で紙コバ傷を防止すると共に、画像不良を発生させることなく、各種サイズの普通紙でダウンタイムの発生を防止することができる。
【０１６０】
［その他の事項］
１）本発明の像加熱装置は、実施例のような定着装置としての使用に限られない。記録材に一旦定着された或いは仮定着された画像（定着済み画像又は半定着画像）の光沢度などを改質する画像改質装置としても有効である。
【０１６１】
２）本発明の像加熱装置において、回転可能な加熱部材５１はローラ体に限られない。エンドレスベルトの形態のものにすることもできる。
【０１６２】
３）加熱部材５１を加熱する加熱手段５３は、実施例のように、加熱部材５１の内空部に挿入配設したハロゲンヒータ等の熱発生素子５３に限られない。内部加熱方式或いは外部加熱方式の電磁誘導加熱であってもよい。加熱部材５１の内面あるいは外面に接触して摺動する固定のセラミックヒータや電磁誘導ヒータなどの他の加熱手段を用いることもできる。
【０１６３】
４）加熱部材５１とニップ部Ｎを形成する加圧部材５２も加熱手段で加熱する装置法制にすることもできる。加圧部材５２はローラ体に限られない。回転可能なエンドレスベルト体にすることもできる。また、加圧部材５２は回転体でなくてもよい。加圧部材５２は表面（加熱部材や記録材との当接面）の摩擦係数が小さい加圧パッドなどの非回転部材の形態にすることもできる。
【０１６４】
５）各実施例の装置は大小各種幅サイズの記録材の通紙を所謂中央基準搬送とし、それに対応するように摺擦部材を構成し動作制御を行っている。所謂片側基準搬送の装置でもそれに対応するように摺擦部材を構成し動作制御を行うことで同様の効果を得ることができる。
【０１６５】
６）画像形成装置の画像形成部は電子写真方式に限られない。静電記録方式や磁気記録方式の画像形成部であってもよい。また、転写方式に限られず、記録材に対して直接方式で未定着画像を形成する構成のものであってもよい。
【符号の説明】
【０１６６】
５１・・加熱部材（定着ローラ）、５１ｃ・・離型層、５２・・加圧部材、ニップ部、Ｎ・・５３・・加熱手段、６０，６２・・摺擦部材、Ｓ・・記録材、ｔ・・画像
【図５Ａ】
2013174806.tif 000003
【図５Ｂ】
2013174806.tif 000004
【図８Ａ】
2013174806.tif 000005
【図８Ｂ】
2013174806.tif 000006
【図１】
2013174806.tif 000007
【図２】
2013174806.tif 000008
【図３】
2013174806.tif 000009
【図４】
2013174806.tif 000010
【図６】
2013174806.tif 000011
【図７】
2013174806.tif 000012
【図９】
2013174806.tif 000013
【図１０】
2013174806.tif 000014
【図１１】
2013174806.tif 000015
【図１２】
2013174806.tif 000016
【図１３】
2013174806.tif 000017